(57)【要約】ディスプレイが操作卓の中心から左右に位置する状態でも操作卓の略全体を簡単な構造で照明する技術が開示され、その技術によればディスプレイ１が操作卓２の中心に位置するときにはセンサＳ１の検出信号がオンになってディスプレイの中心のライトＬ１が点灯して操作卓の全体を照明し、ディスプレイが操作卓の右側に位置するときにはセンサＳ２の検出信号がオンになってディスプレイの左側のライトＬ２が点灯して操作卓の全体を照明し、ディスプレイが操作卓の左側に位置するときにはセンサＳ３の検出信号がオンになってディスプレイの右側のライトＬ３が点灯して操作卓の全体を照明する。【特許請求の範囲】
【請求項１】
操作卓に対して回動可能なディスプレイの左右方向に配列された複数の照明手段と、
前記ディスプレイの前記操作卓に対する回動位置を検出する検出手段と、
前記検出手段により検出された前記ディスプレイの回動位置に基づいて前記操作卓の略全体を照明するように前記複数の照明手段の少なくとも１つを選択的に点灯する点灯手段とを、
有するタスクライト。
【請求項２】
操作卓に対して回動可能なディスプレイの左右方向の略中央に設けられた回動可能な照明手段と、
前記ディスプレイの前記操作卓に対する回動位置に応じて前記操作卓の略全体を照明するように前記照明手段を回動させる手段とを、
有するタスクライト。
【発明の詳細な説明】
【技術分野】
【０００１】  本発明は、ディスプレイが操作卓に対して回動可能な機器のタスクライトに関する。
【背景技術】
【０００２】  種々の機器の中で、例えば超音波診断装置は薄暗い場所で使用されることが一般的であるので、操作卓、特に操作卓上の操作キーの機能を表すピクトグラムが薄暗い場所でも見やすいように、ディスプレイ側に操作卓を照明するタスクライトを設けたり、操作卓上のピクトグラムを操作卓の内部から照明する方法が知られている。また、タスクライトの従来例としては、例えば下記の特許文献１に開示されたものがある。
【特許文献１】特表２００２−５１０１３４号公報（要約書）
【０００３】  しかしながら、超音波診断装置などの機器は、医者などの操作者が使用する際にプローブを被検部位に押し当てながら断層画像を撮像してディスプレイに表示し、その際に表示画像を被検者に見せることが一般的であり、このためディスプレイが操作卓に対して回動可能であるので、ディスプレイ側に操作卓を照明するタスクライトを単に設けても、ディスプレイが操作卓の中心から左右に位置する状態ではタスクライトが操作卓の全体を照明することができないという問題点がある。また、操作卓の表面のピクトグラムを操作卓の内部から照明する方法では、操作卓の内部構造が複雑になるという問題点がある。
【発明の開示】
【０００４】  本発明は上記従来例の問題点に鑑み、ディスプレイが操作卓の中心から左右に位置する状態でも操作卓の略全体を簡単な構造で照明することができるタスクライトを提供することを目的とする。
【０００５】  本発明は上記目的を達成するために、操作卓に対して回動可能なディスプレイの左右方向に配列された複数の照明手段と、
前記ディスプレイの前記操作卓に対する回動位置を検出する検出手段と、
前記検出手段により検出された前記ディスプレイの回動位置に基づいて前記操作卓の略全体を照明するように前記複数の照明手段の少なくとも１つを選択的に点灯する点灯手段とを、
有する構成とした。
この構成により、ディスプレイが操作卓の中心から左右に位置する状態でも、複数の照明手段の少なくとも１つにより操作卓の略全体を簡単な構造で照明することができる。
【０００６】  また、本発明は上記目的を達成するために、操作卓に対して回動可能なディスプレイの左右方向の略中央に設けられた回動可能な照明手段と、
前記ディスプレイの前記操作卓に対する回動位置に応じて前記操作卓の略全体を照明するように前記照明手段を回動させる手段とを、
有する構成とした。
この構成により、ディスプレイが操作卓の中心から左右に位置する状態でも少なくとも１つの照明手段により操作卓の略全体を簡単な構造で照明することができる。
【０００７】  本発明によれば、ディスプレイが操作卓の中心から左右に位置する状態でも、操作卓の略全体を簡単な構造で照明することができる。
【図面の簡単な説明】
【０００８】
【図１Ａ】本発明に係るタスクライトの第１の実施の形態を示す平面図であって、ディスプレイが操作卓の右側に回転した状態を示す図
【図１Ｂ】本発明に係るタスクライトの第１の実施の形態を示す平面図であって、ディスプレイが操作卓の中心に位置する状態を示す図
【図１Ｃ】本発明に係るタスクライトの第１の実施の形態を示す平面図であって、ディスプレイが操作卓の左側に回転した状態を示す図
【図２Ａ】本発明に係るタスクライトの第１の実施の形態を示す正面図であって、ディスプレイが操作卓の右側に回転した状態を示す図
【図２Ｂ】本発明に係るタスクライトの第１の実施の形態を示す正面図であって、ディスプレイが操作卓の中心に位置する状態を示す図
【図２Ｃ】本発明に係るタスクライトの第１の実施の形態を示す正面図であって、ディスプレイが操作卓の左側に回転した状態を示す図
【図３】本発明に係るタスクライトの第１の実施の形態を示す側面図
【図４】本発明に係るタスクライトの第１の実施の形態のディスプレイ位置検出手段を示す構成図
【図５】本発明に係るタスクライトの第２の実施の形態を示す構成図を示す正面図
【図６Ａ】本発明に係るタスクライトの第２の実施の形態を示す正面図であって、ディスプレイが操作卓の右側に回転した状態を示す図
【図６Ｂ】本発明に係るタスクライトの第２の実施の形態を示す正面図であって、ディスプレイが操作卓の中心に位置する状態を示す図
【図６Ｃ】本発明に係るタスクライトの第２の実施の形態を示す正面図であって、ディスプレイが操作卓の左側に回転した状態を示す図
【図７】本発明に係るタスクライトの第３の実施の形態を示す構成図を示す正面図
【図８Ａ】本発明に係るタスクライトの第３の実施の形態を示す正面図であって、ディスプレイが操作卓の相対位置が右側に位置した状態を示す図
【図８Ｂ】本発明に係るタスクライトの第３の実施の形態を示す正面図であって、ディスプレイが操作卓の相対位置が中心に位置する状態を示す図
【図８Ｃ】本発明に係るタスクライトの第３の実施の形態を示す正面図であって、ディスプレイが操作卓の相対位置が左側に位置した状態を示す図
【発明を実施するための最良の形態】
【０００９】  以下、図面を参照して本発明の実施の形態について説明する。
＜第１の実施の形態＞
本発明に係るタスクライトの第１の実施の形態を図１Ａ、１Ｂ、１Ｃ、図２Ａ、２Ｂ、２Ｃ、図３、図４に示す。図１Ａ〜１Ｃ、図２Ａ〜２Ｃ、図３はそれぞれ平面図、正面図、側面図であり、ディスプレイ１は操作卓２に対して水平方向に回動可能である。図１Ａ、図２Ａはディスプレイ１が操作卓２の右側に回転した状態、図１Ｂ、図２Ｂはディスプレイ１が操作卓２の中心に位置する状態、図１Ｃ、図２Ｃはディスプレイ１が操作卓２の左側に回転した状態を示し、ディスプレイ１の下方の左側、中央、右側にはそれぞれ、ディスプレイ１が操作卓２の右側、中心、左側に位置するときに操作卓２の全体を照明するようにライトＬ２、Ｌ１、Ｌ３が設けられている。なお、本発明に使用するライトは操作卓全体を照明する機能があれば種類を問わず、パイロットランプ（豆電球）、フィラメントランプ、蛍光灯、白熱灯、ＬＥＤなどを用いることができる。またディスプレイの種類もＣＲＴ、液晶、プラズマなど全てが対象となる。【００１０】  図４はディスプレイ１の回転軸３に設けられたディスプレイ位置検出手段を示す。この例では、ディスプレイ１の回転軸３の近傍には、２つの導電部材が相対向して離間したセンサＳ２、Ｓ１、Ｓ３と、センサＳ２、Ｓ１、Ｓ３のいずれか１つの２つの導電部材の間を導通させる接点金具３ａが設けられている。センサＳ２、Ｓ１、Ｓ３と接点金具３ａは、ディスプレイ１が操作卓２の右側、中心、左側に位置するときに対応するように設けられている。【００１１】  図４はディスプレイ１が操作卓２の中心に位置して接点金具３ａがセンサＳ１の導電部材の間に位置する状態を示し、このとき、センサＳ１の検出信号がオンになるように構成されている。このため、図１Ｂ、図２Ｂに示すようにディスプレイ１が操作卓２の中心に位置するときにはセンサＳ１の検出信号がオンになってディスプレイ１の中心のライトＬ１が点灯するので、ライトＬ１が操作卓２の全体を照明することができる。また、図１Ａ、図２Ａに示すようにディスプレイ１が操作卓２の右側に位置するときにはセンサＳ２の検出信号がオンになってディスプレイ１の左側のライトＬ２が点灯するので、ライトＬ２が操作卓２の全体を照明することができる。また、図１Ｃ、図２Ｃに示すようにディスプレイ１が操作卓２の左側に位置するときにはセンサＳ３の検出信号がオンになってディスプレイ１の右側のライトＬ３が点灯するので、ライトＬ３が操作卓２の全体を照明することができる。【００１２】  なお、センサＳ２、Ｓ１、Ｓ３として発光素子と受光素子が対向したフォトインタラプタを用いるとともに、接点金具３ａの代わりにセンサＳ２、Ｓ１、Ｓ３の発光素子と受光素子との間の光路を遮るインタラプト部材を用いてもよい。【００１３】  ＜第２の実施の形態＞
本発明に係るタスクライトの第２の実施の形態を図５、図６Ａ、６Ｂ、６Ｃに示す。図５において、照明手段であるＬＥＤ１０は支持部材１１により支持され、支持部材１１（及びＬＥＤ１０）は、図６Ａ、６Ｂ、６Ｃに示すようにディスプレイ１の中心においてディスプレイ１の回動に応じて回動可能に設けられている。ＬＥＤ１０は図６Ａに示すようにディスプレイ１が操作卓２の右側に位置するときには左側に回動して操作卓２の全体を照明し、図６Ｂに示すようにディスプレイ１が操作卓２の中心に位置するときには中心に位置して操作卓２の全体を照明し、図６Ｃに示すようにディスプレイ１が操作卓２の左側に位置するときには右側に回動して操作卓２の全体を照明するように構成されている。【００１４】  この第２の実施の形態によれば、ディスプレイ１の回動角度に応じてＬＥＤ１０を回動することにより、ＬＥＤ１０が常に操作卓２の全体を照明することができる。なお、ＬＥＤ１０の回動手段としては、ディスプレイ１の回動角度に応じてＬＥＤ１０を回動する回動機構を設けてもよく、また、ＬＥＤ回動モータとディスプレイ１の回動角度検出センサにより実現してもよい。【００１５】  ＜第３の実施の形態＞
本発明に係るタスクライトの第３の実施の形態を図７、図８Ａ、８Ｂ、８Ｃに示す。図７において、ＬＥＤ１０は支持部材１１の右側、中央、左側に設けられている。図８Ａに示すようにディスプレイ１の操作卓２に対する相対位置が右側に位置するときには右側のＬＥＤ１０ａで操作卓２の全体を照明し、図８Ｂに示すようにディスプレイ１の操作卓２に対する相対位置が中心に位置するときには中央のＬＥＤ１０ｂで操作卓２の全体を照明し、図８Ｃに示すようにディスプレイ１の操作卓２に対する相対位置が左側に位置するときには左側のＬＥＤ１０ｃで操作卓２の全体を照明するように構成されている。【００１６】  この第３の実施の形態によれば、第２の実施の形態における支持部材付きＬＥＤを回動させる方法に対し、ＬＥＤ１０を固定していることで、より簡単な構成で操作卓２の全体を照明することができる。また、操作卓２が回転する構成においてもディスプレイ１との相対位置を検出して適性な位置のＬＥＤ１０が点灯し操作卓２の全体を照明することができる。なお、ディスプレイ１と操作卓２の位置検出手段は光、磁気方式など位置検出できる全ての手段が対象となる。
【産業上の利用可能性】
【００１７】  本発明は、ディスプレイが操作卓の中心から左右に位置する状態でも操作卓の略全体を簡単な構造で照明することができるので、超音波診断装置などの機器に利用することができる。
【図１Ａ】
2005069103.tif 000002
【図１Ｂ】
2005069103.tif 000003
【図１Ｃ】
2005069103.tif 000004
【図２Ａ】
2005069103.tif 000005
【図２Ｂ】
2005069103.tif 000006
【図２Ｃ】
2005069103.tif 000007
【図３】
2005069103.tif 000008
【図４】
2005069103.tif 000009
【図５】
2005069103.tif 000010
【図６Ａ】
2005069103.tif 000011
【図６Ｂ】
2005069103.tif 000012
【図６Ｃ】
2005069103.tif 000013
【図７】
2005069103.tif 000014
【図８Ａ】
2005069103.tif 000015
【図８Ｂ】
2005069103.tif 000016
【図８Ｃ】
2005069103.tif 000017
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
操作卓に対して回動可能なディスプレイの左右方向に配列された複数の照明手段と、
前記ディスプレイの前記操作卓に対する回動位置を検出する検出手段と、
前記検出手段により検出された前記ディスプレイの回動位置に基づいて前記操作卓の略全体を照明するように前記複数の照明手段の少なくとも１つを選択的に点灯する点灯手段とを、
有するタスクライト。
【請求項２】
操作卓に対して回動可能なディスプレイの左右方向の略中央に設けられた回動可能な照明手段と、
前記ディスプレイの前記操作卓に対する回動位置に応じて前記操作卓の略全体を照明するように前記照明手段を回動させる手段とを、
有するタスクライト。
【手続補正２】
【補正対象書類名】明細書
【補正対象項目名】全文
【補正方法】変更
【補正の内容】
【発明の詳細な説明】
【技術分野】
【０００１】
本発明は、ディスプレイが操作卓に対して回動可能な機器のタスクライトに関する。
【背景技術】
【０００２】
種々の機器の中で、例えば超音波診断装置は薄暗い場所で使用されることが一般的であるので、操作卓、特に操作卓上の操作キーの機能を表すピクトグラムが薄暗い場所でも見やすいように、ディスプレイ側に操作卓を照明するタスクライトを設けたり、操作卓上のピクトグラムを操作卓の内部から照明する方法が知られている。また、タスクライトの従来例としては、例えば下記の特許文献１に開示されたものがある。
【特許文献１】特表２００２−５１０１３４号公報（要約書）
【発明の開示】
【発明が解決しようとする課題】
【０００３】
しかしながら、超音波診断装置などの機器は、医者などの操作者が使用する際にプローブを被検部位に押し当てながら断層画像を撮像してディスプレイに表示し、その際に表示画像を被検者に見せることが一般的であり、このためディスプレイが操作卓に対して回動可能であるので、ディスプレイ側に操作卓を照明するタスクライトを単に設けても、ディスプレイが操作卓の中心から左右に位置する状態ではタスクライトが操作卓の全体を照明することができないという問題点がある。また、操作卓の表面のピクトグラムを操作卓の内部から照明する方法では、操作卓の内部構造が複雑になるという問題点がある。
【０００４】
本発明は上記従来例の問題点に鑑み、ディスプレイが操作卓の中心から左右に位置する状態でも操作卓の略全体を簡単な構造で照明することができるタスクライトを提供することを目的とする。
【課題を解決するための手段】
【０００５】
本発明は上記目的を達成するために、操作卓に対して回動可能なディスプレイの左右方向に配列された複数の照明手段と、
前記ディスプレイの前記操作卓に対する回動位置を検出する検出手段と、
前記検出手段により検出された前記ディスプレイの回動位置に基づいて前記操作卓の略全体を照明するように前記複数の照明手段の少なくとも１つを選択的に点灯する点灯手段とを、
有する構成とした。
この構成により、ディスプレイが操作卓の中心から左右に位置する状態でも、複数の照明手段の少なくとも１つにより操作卓の略全体を簡単な構造で照明することができる。
【０００６】
また、本発明は上記目的を達成するために、操作卓に対して回動可能なディスプレイの左右方向の略中央に設けられた回動可能な照明手段と、
前記ディスプレイの前記操作卓に対する回動位置に応じて前記操作卓の略全体を照明するように前記照明手段を回動させる手段とを、
有する構成とした。
この構成により、ディスプレイが操作卓の中心から左右に位置する状態でも少なくとも１つの照明手段により操作卓の略全体を簡単な構造で照明することができる。
【発明の効果】
【０００７】
本発明によれば、ディスプレイが操作卓の中心から左右に位置する状態でも、操作卓の略全体を簡単な構造で照明することができる。
【発明を実施するための最良の形態】
【０００８】
以下、図面を参照して本発明の実施の形態について説明する。
＜第１の実施の形態＞
本発明に係るタスクライトの第１の実施の形態を図１Ａ、１Ｂ、１Ｃ、図２Ａ、２Ｂ、２Ｃ、図３、図４に示す。図１Ａ〜１Ｃ、図２Ａ〜２Ｃ、図３はそれぞれ平面図、正面図、側面図であり、ディスプレイ１は操作卓２に対して水平方向に回動可能である。図１Ａ、図２Ａはディスプレイ１が操作卓２の右側に回転した状態、図１Ｂ、図２Ｂはディスプレイ１が操作卓２の中心に位置する状態、図１Ｃ、図２Ｃはディスプレイ１が操作卓２の左側に回転した状態を示し、ディスプレイ１の下方の左側、中央、右側にはそれぞれ、ディスプレイ１が操作卓２の右側、中心、左側に位置するときに操作卓２の全体を照明するようにライトＬ２、Ｌ１、Ｌ３が設けられている。なお、本発明に使用するライトは操作卓全体を照明する機能があれば種類を問わず、パイロットランプ（豆電球）、フィラメントランプ、蛍光灯、白熱灯、ＬＥＤなどを用いることができる。またディスプレイの種類もＣＲＴ、液晶、プラズマなど全てが対象となる。
【０００９】
図４はディスプレイ１の回転軸３に設けられたディスプレイ位置検出手段を示す。この例では、ディスプレイ１の回転軸３の近傍には、２つの導電部材が相対向して離間したセンサＳ２、Ｓ１、Ｓ３と、センサＳ２、Ｓ１、Ｓ３のいずれか１つの２つの導電部材の間を導通させる接点金具３ａが設けられている。センサＳ２、Ｓ１、Ｓ３と接点金具３ａは、ディスプレイ１が操作卓２の右側、中心、左側に位置するときに対応するように設けられている。
【００１０】
図４はディスプレイ１が操作卓２の中心に位置して接点金具３ａがセンサＳ１の導電部材の間に位置する状態を示し、このとき、センサＳ１の検出信号がオンになるように構成されている。このため、図１Ｂ、図２Ｂに示すようにディスプレイ１が操作卓２の中心に位置するときにはセンサＳ１の検出信号がオンになってディスプレイ１の中心のライトＬ１が点灯するので、ライトＬ１が操作卓２の全体を照明することができる。また、図１Ａ、図２Ａに示すようにディスプレイ１が操作卓２の右側に位置するときにはセンサＳ２の検出信号がオンになってディスプレイ１の左側のライトＬ２が点灯するので、ライトＬ２が操作卓２の全体を照明することができる。また、図１Ｃ、図２Ｃに示すようにディスプレイ１が操作卓２の左側に位置するときにはセンサＳ３の検出信号がオンになってディスプレイ１の右側のライトＬ３が点灯するので、ライトＬ３が操作卓２の全体を照明することができる。
【００１１】
なお、センサＳ２、Ｓ１、Ｓ３として発光素子と受光素子が対向したフォトインタラプタを用いるとともに、接点金具３ａの代わりにセンサＳ２、Ｓ１、Ｓ３の発光素子と受光素子との間の光路を遮るインタラプト部材を用いてもよい。
【００１２】
＜第２の実施の形態＞
本発明に係るタスクライトの第２の実施の形態を図５、図６Ａ、６Ｂ、６Ｃに示す。図５において、照明手段であるＬＥＤ１０は支持部材１１により支持され、支持部材１１（及びＬＥＤ１０）は、図６Ａ、６Ｂ、６Ｃに示すようにディスプレイ１の中心においてディスプレイ１の回動に応じて回動可能に設けられている。ＬＥＤ１０は図６Ａに示すようにディスプレイ１が操作卓２の右側に位置するときには左側に回動して操作卓２の全体を照明し、図６Ｂに示すようにディスプレイ１が操作卓２の中心に位置するときには中心に位置して操作卓２の全体を照明し、図６Ｃに示すようにディスプレイ１が操作卓２の左側に位置するときには右側に回動して操作卓２の全体を照明するように構成されている。
【００１３】
この第２の実施の形態によれば、ディスプレイ１の回動角度に応じてＬＥＤ１０を回動することにより、ＬＥＤ１０が常に操作卓２の全体を照明することができる。なお、ＬＥＤ１０の回動手段としては、ディスプレイ１の回動角度に応じてＬＥＤ１０を回動する回動機構を設けてもよく、また、ＬＥＤ回動モータとディスプレイ１の回動角度検出センサにより実現してもよい。
【００１４】
＜第３の実施の形態＞
本発明に係るタスクライトの第３の実施の形態を図７、図８Ａ、８Ｂ、８Ｃに示す。図７において、ＬＥＤ１０は支持部材１１の右側、中央、左側に設けられている。図８Ａに示すようにディスプレイ１の操作卓２に対する相対位置が右側に位置するときには右側のＬＥＤ１０ａで操作卓２の全体を照明し、図８Ｂに示すようにディスプレイ１の操作卓２に対する相対位置が中心に位置するときには中央のＬＥＤ１０ｂで操作卓２の全体を照明し、図８Ｃに示すようにディスプレイ１の操作卓２に対する相対位置が左側に位置するときには左側のＬＥＤ１０ｃで操作卓２の全体を照明するように構成されている。
【００１５】
この第３の実施の形態によれば、第２の実施の形態における支持部材付きＬＥＤを回動させる方法に対し、ＬＥＤ１０を固定していることで、より簡単な構成で操作卓２の全体を照明することができる。また、操作卓２が回転する構成においてもディスプレイ１との相対位置を検出して適性な位置のＬＥＤ１０が点灯し操作卓２の全体を照明することができる。なお、ディスプレイ１と操作卓２の位置検出手段は光、磁気方式など位置検出できる全ての手段が対象となる。
【産業上の利用可能性】
【００１６】
本発明は、ディスプレイが操作卓の中心から左右に位置する状態でも操作卓の略全体を簡単な構造で照明することができるので、超音波診断装置などの機器に利用することができる。
【図面の簡単な説明】
【００１７】
【図１Ａ】本発明に係るタスクライトの第１の実施の形態を示す平面図であって、ディスプレイが操作卓の右側に回転した状態を示す図
【図１Ｂ】本発明に係るタスクライトの第１の実施の形態を示す平面図であって、ディスプレイが操作卓の中心に位置する状態を示す図
【図１Ｃ】本発明に係るタスクライトの第１の実施の形態を示す平面図であって、ディスプレイが操作卓の左側に回転した状態を示す図
【図２Ａ】本発明に係るタスクライトの第１の実施の形態を示す正面図であって、ディスプレイが操作卓の右側に回転した状態を示す図
【図２Ｂ】本発明に係るタスクライトの第１の実施の形態を示す正面図であって、ディスプレイが操作卓の中心に位置する状態を示す図
【図２Ｃ】本発明に係るタスクライトの第１の実施の形態を示す正面図であって、ディスプレイが操作卓の左側に回転した状態を示す図
【図３】本発明に係るタスクライトの第１の実施の形態を示す側面図
【図４】本発明に係るタスクライトの第１の実施の形態のディスプレイ位置検出手段を示す構成図
【図５】本発明に係るタスクライトの第２の実施の形態を示す構成図を示す正面図
【図６Ａ】本発明に係るタスクライトの第２の実施の形態を示す正面図であって、ディスプレイが操作卓の右側に回転した状態を示す図
【図６Ｂ】本発明に係るタスクライトの第２の実施の形態を示す正面図であって、ディスプレイが操作卓の中心に位置する状態を示す図
【図６Ｃ】本発明に係るタスクライトの第２の実施の形態を示す正面図であって、ディスプレイが操作卓の左側に回転した状態を示す図
【図７】本発明に係るタスクライトの第３の実施の形態を示す構成図を示す正面図
【図８Ａ】本発明に係るタスクライトの第３の実施の形態を示す正面図であって、ディスプレイが操作卓の相対位置が右側に位置した状態を示す図
【図８Ｂ】本発明に係るタスクライトの第３の実施の形態を示す正面図であって、ディスプレイが操作卓の相対位置が中心に位置する状態を示す図
【図８Ｃ】本発明に係るタスクライトの第３の実施の形態を示す正面図であって、ディスプレイが操作卓の相対位置が左側に位置した状態を示す図
【手続補正３】
【補正対象書類名】図面
【補正対象項目名】全図
【補正方法】変更
【補正の内容】
【図１Ａ】
2005069103.tif 000018
【図１Ｂ】
2005069103.tif 000019
【図１Ｃ】
2005069103.tif 000020
【図２Ａ】
2005069103.tif 000021
【図２Ｂ】
2005069103.tif 000022
【図２Ｃ】
2005069103.tif 000023
【図３】
2005069103.tif 000024
【図４】
2005069103.tif 000025
【図５】
2005069103.tif 000026
【図６Ａ】
2005069103.tif 000027
【図６Ｂ】
2005069103.tif 000028
【図６Ｃ】
2005069103.tif 000029
【図７】
2005069103.tif 000030
【図８Ａ】
2005069103.tif 000031
【図８Ｂ】
2005069103.tif 000032
【図８Ｃ】
2005069103.tif 000033
【国際調査報告】
2005069103.tif 000034
2005069103.tif 000035
2005069103.tif 000036
2005069103.tif 000037